(57)【特許請求の範囲】
【請求項１】
畝を造りながらマルチフィルムロールから引き出されたマルチフィルムを上記畝上に敷設すると共に上記畝の両側において上記マルチフィルム両端部の押え輪を具備したマルチ作業用トラクターに装着するマルチ作業用鎮圧ローラ装置において、
上記マルチ作業用トラクターの後部に接続可能な接続具を設け、
後端部において鎮圧ローラを回動可能に支持する左右一対の前後方向支持腕を設け、
上記両支持腕の各前端部を上記接続具に対して上下方向に回動可能に軸支し、
上記接続具と上記前後方向支持腕との間に、上記接続具に対して上記前後方向支持腕を下向きに回動附勢する附勢手段を設け、
上記接続具を上記トラクターの後部に接続した状態において、上記鎮圧ローラが上記マルチフィルムロールと上記押え輪との間に位置するように構成すると共に、
上記鎮圧ローラはその横幅が造成される畝の上面幅と同等又は若干大であり、
かつ上記鎮圧ローラは、上記附勢手段の附勢力を以って上記畝上に敷設された上記マルチフィルム上面に圧接することにより、上記マルチフィルムを畝上面に圧着すると共に、上記畝を圧縮して畝の土を締め固めるものであることを特徴とするマルチ作業用鎮圧ローラ装置であって、
上記附勢手段は、上記前後方向支持腕の軸受に一端を軸支され、他端を上記接続具に設けられた支持軸の貫通孔に挿通された押え軸と、
上記押え軸における上記支持軸と上記軸受間に挿通された押圧用スプリングと、
上記押え軸に軸方向に複数設けられた孔に挿通可能な抜け止めピンとから構成し、
上記押圧用スプリングを圧縮した状態で上記抜け止めピンを上記孔の何れか一に挿通固定することにより、
上記押圧用スプリングの戻り方向の附勢力によって上記鎮圧ローラを下方に附勢し、これにより上記畝を下方に圧縮しながら上記マルチフィルムを鎮圧し、上記押え輪にて上記マルチフィルムの左右の撓みを吸収しながら進行し得るように構成したものであるマルチ作業用鎮圧ローラ装置。
【請求項２】
上記鎮圧ローラは凹凸のない外周側面を具備しているものである請求項１記載のマルチ作業用鎮圧ローラ装置。
【請求項３】
上記マルチ作業用トラクターは畝を造成するための一対の畝立て板を有するものである請求項１記載のマルチ作業用鎮圧ローラ。
【請求項４】
上記押え輪は上記トラクター後部に前後方向伸縮腕を介して接続し、
上記前後方向伸縮腕は、基杆と上記基杆に対して前後方向に摺動可能であって上記押え輪を回動可能に支持する摺動杆とから構成されたものである請求項１〜３の何れかに記載のマルチ作業用鎮圧ローラ装置。
【発明の詳細な説明】
【技術分野】
【０００１】
本発明は、畝にマルチフィルムを敷設する際に、マルチフィルム上面に接触して畝を鎮圧しながらマルチフィルムの敷設を行うためのマルチ作業用鎮圧ローラ装置に関するものである。
【背景技術】
【０００２】
従来、畝を造るためのトラクターや歩行用管理機の後方に、マルチフィルムのロールを設置し、畝を造成していく過程で上記ロールからマルチフィルムを畝上に引き出して行くことで、畝を造りながら当該畝上にマルチフィルムを敷設していく装置が提案されている（特許文献１〜３）。
【０００３】
これらの装置では、マルチフィルムのロールの後方に鎮圧ローラを回転自在に設け、上記畝上に引き出されたマルチフィルムの上面を当該鎮圧ローラにて押圧するものが提案されている（特許文献１〜３）。
【先行技術文献】
【特許文献】
【０００４】
【特許文献１】実開平２−１４９４５
【特許文献２】実開平６−３８４１２
【特許文献３】特開平６−５４６２８
【発明の概要】
【発明が解決しようとする課題】
【０００５】
ところで、上記従来の装置の鎮圧ローラは、マルチフィルム上に載置された状態で回転するものであるが、マルチフィルムを上面から鎮圧するだけであるから、その鎮圧力が弱く、当該従来の鎮圧ローラでは、当該ローラが通った後においても、畝の上面とマルチフィルムとの間に隙間が生じ、マルチフィルムの敷設後においても当該マルチフィルムが風に煽られて、畝から剥がれてしまうこともあった。
【０００６】
このため、敷設したマルチフィルムの上面に所定間隔でスポット的に泥を被せ、マルチフィルムが風に煽られるのを防止するという作業が必要があったが、一旦敷設したマルチフィルム上に泥を被せる作業は非常に手間のかかる作業であった。
【０００７】
本発明は上記従来の課題に鑑みてなされたもので、畝を造りながらその畝にマルチフィルムを敷設していく際に、畝の上面を強く圧縮しながらマルチフィルムを圧縮した畝の上面に張設することができ、風の強い日であっても問題なくマルチフィルムの敷設作業を行うことができるマルチ作業用鎮圧ローラ装置を提供することを目的とする。
【課題を解決するための手段】
【０００８】
上記の目的を達成するために本発明は、
第１に、 畝を造りながらマルチフィルムロールから引き出されたマルチフィルムを上記畝上に敷設すると共に上記畝の両側において上記マルチフィルム両端部の押え輪を具備したマルチ作業用トラクターに装着するマルチ作業用鎮圧ローラ装置において、上記マルチ作業用トラクターの後部に接続可能な接続具を設け、後端部において鎮圧ローラを回動可能に支持する左右一対の前後方向支持腕を設け、上記両支持腕の各前端部を上記接続具に対して上下方向に回動可能に軸支し、上記接続具と上記前後方向支持腕との間に、上記接続具に対して上記前後方向支持腕を下向きに回動附勢する附勢手段を設け、上記接続具を上記トラクターの後部に接続した状態において、上記鎮圧ローラが上記マルチフィルムロールと上記押え輪との間に位置するように構成すると共に、上記鎮圧ローラはその横幅が造成される畝の上面幅と同等又は若干大であり、かつ上記鎮圧ローラは、上記附勢手段の附勢力を以って上記畝上に敷設された上記マルチフィルム上面に圧接することにより、上記マルチフィルムを畝上面に圧着すると共に、上記畝を圧縮して畝の土を締め固めるものであることを特徴とするマルチ作業用鎮圧ローラ装置であって、上記附勢手段は、上記前後方向支持腕の軸受に一端を軸支され、他端を上記接続具に設けられた支持軸の貫通孔に挿通された押え軸と、上記押え軸における上記支持軸と上記軸受間に挿通された押圧用スプリングと、上記押え軸に軸方向に複数設けられた孔に挿通可能な抜け止めピンとから構成し、上記押圧用スプリングを圧縮した状態で上記抜け止めピンを上記孔の何れか一に挿通固定することにより、上記押圧用スプリングの戻り方向の附勢力によって上記鎮圧ローラを下方に附勢し、これにより上記畝を下方に圧縮しながら上記マルチフィルムを鎮圧し、上記押え輪にて上記マルチフィルムの左右の撓みを吸収しながら進行し得るように構成したものであるマルチ作業用鎮圧ローラ装置により構成される。
【０００９】
上記マルチ作業用トラクターは例えばトラクター（１６）により構成することができる。上記附勢手段は例えば押え棒（１１）及びスプリング（１３）等により構成することができる。このように構成すると、畝を造りながらのマルチフィルムの敷設作業において、鎮圧ローラによって畝を圧縮して土を締め固めながら、圧縮した畝の上面にマルチフィルムを畝上面との間に隙間のない状態で張設することができる。これにより、風の強い日であっても問題なくマルチフィルムの張設作業を行うことができ、しかも造成された畝の土は締め固められているので、作物を植えたときに根付けの良い畝を造ることができる。
【００１０】
第２に、上記鎮圧ローラは凹凸のない外周側面を具備しているものである上記第１記載のマルチ作業用鎮圧ローラ装置により構成される。
【００１１】
このように構成すると、凹凸のない鎮圧ローラがマルチフィルム上面に圧着していくため、マルチフィルムの全面に亘って畝上面に密着することができ、マルチフィルムを畝の上面にピンと張った状態できれいに敷設することができる。
【００１２】
第３に、上記マルチ作業用トラクターは畝を造成するための一対の畝立て板を有するものである上記第１記載のマルチ作業用鎮圧ローラにより構成される。
【００１３】
このように構成すると、畝立て板にて凸状に造成された畝の上面にマルチフィルムを張設しながら鎮圧ローラによって上記畝を締め固めることができ、締め固められた畝の上面にマルチフィルムをきれいに張設することができる。
【００１４】
第４に、上記押え輪は上記トラクター後部に前後方向伸縮腕を介して接続し、上記前後方向伸縮腕は、基杆と上記基杆に対して前後方向に摺動可能であって上記押え輪を回動可能に支持する摺動杆とから構成されたものである上記第１〜３の何れかに記載のマルチ作業用鎮圧ローラ装置により構成される。
【００１５】
このように構成すると、接続具にてトラクターに装着された鎮圧ローラの位置と既存のトラクターの押え輪の位置を最適位置に調整することができる。
【発明の効果】
【００１６】
上述のように本発明によれば、畝を造りながらのマルチフィルムの敷設作業において、鎮圧ローラによって畝を圧縮して土を締め固めながら、圧縮した畝の上面にマルチフィルムを畝上面との間に隙間のない状態で張設することができ、これにより、風の強い日であっても問題なくマルチフィルムの張設作業を行うことができるし、造成された畝の土は締め固められているので、作物を植えたときに根付けの良い畝を造ることができる。
【００１７】
また、凹凸のない鎮圧ローラがマルチフィルム上面に圧着していくため、マルチフィルムの全面に亘って畝上面に密着することができ、マルチフィルムを畝の上面にピンと張った状態できれいに敷設することができる。
【００１８】
また、畝立て板にて凸状に造成された畝の上面にマルチフィルムを張設しながら鎮圧ローラによって上記畝を締め固めることができ、締め固められた畝の上面にマルチフィルムをきれいに張設することができる。
【００１９】
また、前後方向伸縮腕によって、接続具にてトラクターに装着された鎮圧ローラの位置と既存のトラクターの押え輪の位置を最適位置に調整することができる。
鎮圧ローラが畝の上面をマルチフィルムと共に圧縮しながら進行して行き、さらに押え輪がマルチフィルムの左右の弛みを吸収しながら進行していくため、マルチフィルムは畝の上面において、畝の上面と隙間なく、かつピンと張った張設状態で敷設されていくことができる。
【図面の簡単な説明】
【００２０】
【図１】本発明に係るマルチ作業用鎮圧ローラ装置の分解斜視図である。
【図２】同上装置の側面図である。
【図３】同上装置の側面図及びマルチ作業用トラクターの側面図である。
【図４】同上装置をマルチ作業用トラクターに装着した状態の側面図である。
【図５】同上装置でマルチフィルムの敷設作業をしている状態を示す斜視図である。
【図６】同上装置の平面図である。
【図７】同上装置の前後方向支持腕の拡大斜視図である。
【図８】同上装置の鎮圧ローラの機能を示す畝の側面図である。
【図９】（ａ）は同上装置の支持環の拡大側面図、（ｂ）は同上装置の支持環の拡大斜視図である。
【発明を実施するための形態】
【００２１】
以下、本発明に係るマルチ作業用鎮圧ローラ装置を詳細に説明する。
【００２２】
図１はマルチ作業用鎮圧ローラ装置１の分解斜視図であり、以下の構成を有する。尚、図１において、トラクターの進行方向（矢印Ｃ方向）を「前方」、矢印Ｃ方向と反対の方向を「後方」、後方から前方を向いた場合の左右を「左右方向」、左右方向に直交する方向を「上下方向」として以下説明する。
【００２３】
２は幅が例えば１４００ｍｍの左右閉鎖状態の円筒形状の樹脂製の鎮圧ローラであり、左右一対の支持腕３，３の後端部に、両側面に突出する中心軸２ａ，２ａが回転自在に軸支されている。この鎮圧ローラ２の幅は、畝Ｕの上面Ｕ１の横幅ｔと同等或いは横幅ｔより若干広い横幅を有するものとする（図５参照）。また、上記鎮圧ローラ２は凹凸のない外周側面を有している。
【００２４】
上記支持腕３，３の前端部には「コ」字形状の接続部３ａ，３ａが設けられており、当該接合部３ａ，３ａは、上記ローラ２の前方に近接して平行に位置する断面方形のローラ支持横杆４の両端部に後方側から嵌合接続され、ボルト及びナットＮにより固定されている。上記支持腕３，３は水平線に対して斜め下方に４５度傾斜しており、当該傾斜状態を維持し得るように、上記ローラ支持横杆４に固定されている。
【００２５】
さらに、上記ローラ支持横杆４の上記接合部３ａ，３ａの内側位置には左右一対の前後方向支持腕５，５の後端の「コ」字形状の接合部５ａ，５ａが前方側から嵌合接続され、ボルト及びナットＮにより固定されている。
【００２６】
上記前後方向支持腕５，５は同一高さに位置する水平腕部５ｂ，５ｂと当該水平腕部５ｂ，５ｂの後端から下斜め４５度傾斜した傾斜腕部５ｃ，５ｃとから形成されており、当該傾斜腕部５ｃ，５ｃは上記傾斜角度（４５度）を維持し得るように上記ローラ支持横杆４に固定されている。従って、上記傾斜腕部５ｃ，５ｃと上記支持腕３は何れも上記水平腕部５ｂ，５ｂに対して４５度の角度をもって傾斜するように構成されている。
【００２７】
上記前後方向支持腕５，５の水平腕部５ｂ，５ｂの前端には、左右方向に貫通孔５ｄ，５ｄが貫通形成されている。
【００２８】
６，６は一対の接続具であり、垂直杆６ａ，６ａと、該垂直杆６ａ，６ａの上端部に後方側に突出するように接続固定された水平杆６ｂ，６ｂとから構成されている。これらの垂直杆６ａ，６ａ、水平杆６ｂ，６ｂは何れも２枚の平行な板を対向配置することにより構成されており、上記垂直杆６ａ，６ａの下端部板には左右方向に貫通孔７，７が形成され、上記水平杆６ｂ，６ｂの後端部板には左右方向の貫通孔８，８が形成されており、当該貫通孔８，８間には左右方向の支持軸１０，１０が回転自在に挿通されている。そして、上記支持軸１０，１０には後述の押え軸１１，１１の端部を挿通するための斜め上方向の貫通孔１０ａ，１０ａが設けられている（図７参照）。
【００２９】
上記前後方向支持腕５，５の水平腕部５ｂ，５ｂの前端は、上記接続具６，６の上記垂直杆６ａ，６ａの下端部板間に接続されており、左右方向支持軸９，９を上記貫通孔７及び貫通孔５ｄに貫通することにより、前後方向支持腕５，５を上記垂直杆６ａ，６ａに対して上記左右方向支持軸９，９を中心に上下方向（矢印Ａ，Ｂ方向）に回動自在となるように構成されている（図２参照）。
【００３０】
また、上記前後方向支持腕５，５の水平腕部５ｂ，５ｂの後方寄り上面に左右方向の軸受５ｅ，５ｅを設け、一対の押え軸１１，１１の先端の支持環１１ａ，１１ａを各々上記軸受５ｅ，５ｅに接続し、左右方向支持軸３２，３２を上記軸受５ｅを介して上記支持環１１ａに挿通することで、上記押え軸１１，１１の上記支持環１１ａ，１１ａを上記軸受５ｅ，５ｅに上記支持軸３２，３２を中心に回動可能に軸支する。
【００３１】
そして、上記両押え軸１１，１１に押圧用スプリング１３，１３を先端から挿通し、その状態で押え軸１１，１１の各先端を上記支持軸１０，１０の上記貫通孔１０ａ，１０ａに挿通して、上記押圧用スプリング１３，１３を圧縮した状態とし、上記貫通孔１０ａ，１０ａを貫通して突出した押え軸１１，１１の先端に、受スプリング１４，１４を挿通し、当該受スプリング１４，１４の開放端側の上記押え軸１１，１１の孔１１ｂに抜け止めピン２９を挿通固定して上記スプリング１４を抜け止め状態とする。
【００３２】
このような構成により、上記前後方向支持腕５，５には、上記押圧用スプリング１３，１３の戻り方向の附勢力（矢印Ｄ方向）が作用することにより、上記附勢力によって上記支持腕５，５は左右方向支持軸９，９を中心とした矢印Ｂ方向（下方向）の力が作用し、これにより上記鎮圧ローラ２は後述のマルチフィルム２０ｂ及び畝Ｕ上面Ｕ１を下方向（矢印Ｆ方向）に強く鎮圧し得るように構成されている。この鎮圧ロール２の畝上面Ｕ１の鎮圧により、畝Ｕ自体が下方に圧縮され、畝Ｕを構成する土を締めた状態とすることができる（図８参照）。
【００３３】
上記鎮圧力（矢印Ｆ方向の力）の調整は、上記スプリング１３の附勢力を変化させることにより行うことができる。即ち、上記押え軸１１，１１の支持環１１ａ側の側面にはピン孔１１ｂが所定間隔で設けられており（図９（ｂ）参照）、例えば、スプリング１３の附勢力を増加させる場合は、上記スプリング１３をさらに矢印Ｅ方向に圧縮し、その下端側のピン孔１１ｂに抜け止めピン２９を挿入し、上記スプリング１３の圧縮状態を維持することにより、上記スプリング１３の附勢力を増加させることができる（図７参照）。
【００３４】
上記垂直杆６ａの後方側の上端部と下端部には、後述のトラクター１６の後部の左右方向取付杆１７に挿通するための断面方形の固定用筒部１５ｂ，１５ａが固定されている。尚、本実施形態の場合は、下端部側の固定用筒部１５ａを使用し、当該固定用筒部１５ａをトラクター１６の上記左右方向取付杆１７に挿通することで当該マルチ作業用鎮圧ローラ装置１をトラクター１６後端部に固定して使用する（図４、図６参照）。
【００３５】
図３において１６は畝Ｕを造るためのマルチ作業用トラクター（トラクター）であり、トラクター１６の後部に断面方形の左右方向取付横杆１７が固定されており、当該取付横杆１７の両端部に上記接続具６，６の上記固定用筒部１５ａ，１５ａを挿通することにより、当該マルチ作業用鎮圧ローラ装置１を上記トラクター１６後部に設置することができる（図４、図５参照）。
【００３６】
上記トラクター１６において、１８は上記本体１６の後部左右位置に「ハ」字型に起立状態で固定された一対の畝立て板、１９は上記畝立て板の外側に設けられた左右一対の畝溝押え輪であり、上記トラクター１６を矢印Ｃ方向に進行させることで、畝Ｕ（図５）を形成していくものである。
【００３７】
ここで上記畝Ｕの上面を上面Ｕ１、上記畝立て板１９，１９によって形成される畝Ｕの左右の傾斜面を傾斜面Ｕ２，Ｕ２、上記傾斜面Ｕ２，Ｕ２の下端部に設けられる溝を畝溝Ｕ３，Ｕ３という。
【００３８】
２０はマルチフィルムを巻きつけた円筒状のマルチフィルムロールであり、その左右の中心軸２０ａを支持杆２１，２１の先端部に回転自在に支持されている。２２，２２は上記マルチフィルムロール２０の支持用の前後方向支持腕であり、その後端部に上記マルチフィルムロール２０の支持杆２１，２１が接続固定され、前端部の接続筒部２２ａ，２２ａを上記左右方向取付横杆１７の左右両端部に挿通することで、上記マルチフィルムロール２０を上記鎮圧ロール２の前方側に固定するものである。
【００３９】
さらに、上記前後方向支持腕２２，２２の上面には取付板２３，２３を立設固定し、当該取付板２３，２３に各々湾曲した支持腕２４，２４の前端を左右方向中心軸３１を中心に回動可能に固定し、当該支持腕２４，２４の垂直部２４ａ，２４ａの下端に後方に突出する前後方向伸縮腕２５，２５を固定する。この前後方向伸縮腕２５，２５の先端部には各々畝溝Ｕ３においてマルチフィルム２０ｂの両端部を押える押え輪２６，２６が回転自在に設けられると共に、当該押え輪２６，２６の後方側にマルチフィルム２０の両端部に土を被覆していく覆土ディスク２７，２７が回転自在に設けられている。
【００４０】
上記前後方向伸縮腕２５，２５は、上記垂直部２４ａに固定された基杆２５ａと、当該基杆２５ａに対して前後方向に摺動可能な筒状の摺動杆２５ｂと、摺動杆２５ｂを所定位置にて基杆２５ａに固定するホルト及びナットＮから構成されており、上記垂直部２４ａ下端から上記押え輪２６及び覆土ディスク２７までの最適な距離を設定できるように構成されている。ここで、図４に示すように、鎮圧ローラ２の直後に上記押え輪２６と覆土ディスク２７が位置することが好ましい。
【００４１】
尚、図１において２８は鎮圧ローラ２の支持枠、２８ａは上記支持枠２８の中央部に設けられた支持ハンドルであり、マルチフィルム２０ｂの張設作業を行う際、予め鎮圧ローラ２を持ち上げる際に使用する。
【００４２】
本発明に係るマルチ作業用鎮圧ローラ装置１は、上述のように構成されているので、以下その動作について説明する。
【００４３】
まずマルチ作業用鎮圧ローラ装置１の接続具６，６の下段の固定用筒部１５ａ，１５ａを、トラクター１６の後部の左右方向取付横杆１７にその両端部から挿通し、図５に示すように、マルチフィルムロール２０の前後方向支持腕２２，２２の内側に上記前後方向支持腕５，５が位置するように当該マルチ作業用鎮圧ローラ装置１を設置する。尚、取付に際しては、上記マルチフィルムロール２０の上記前後方向支持腕２２，２２は一旦上記左右方向取付横杆１７の両端から外し、上記固定用筒部１５ａ，１５ａを装着した後、前後方向支持腕２２，２２を上記横杆１７両端部に装着し、上記マルチフィルムロール２０を装着する。
【００４４】
また、上記押え輪２６，２６及び覆土ディスク２７，２７を支持する支持腕２４，２４はその前端の左右方向中心軸３１を中心として矢印Ａ方向に回動して上方に跳ね上げておく。
【００４５】
そして、上記鎮圧ローラ２の支持ハンドル２８ａを持って当該ローラ２を上方に引き上げると、前後方向支持腕５，５がその前端の左右方向支持軸９，９を中心に矢印Ａ方向に回動して上記鎮圧ローラ２が上方に持ち上がるので、その状態で上記マルチフィルムロール２０からマルチフィルム２０ｂを後方側に引き出して上記鎮圧ローラ２の下側に敷設し、その後、上記鎮圧ローラ２を敷設したマルチフィルム２０ｂ上に載置する。
【００４６】
この状態において、上記鎮圧ローラ２はスプリング１３，１３の附勢力（矢印Ｄ方向）によって下向き（矢印Ｆ方向）の強い圧力を以ってマルチフィルム２０ｂに強く圧接し、同時に畝Ｕを構成する土を下向き（矢印Ｆ方向）に強く締め固める作用を有している（図８）。従って、畝Ｕの高さは鎮圧ローラ２によって圧縮される前は例えば畝高さが約２０ｃｍであったものが、上記鎮圧ローラ２を載置することにより畝高さが約１５ｃｍまで圧縮される（図８参照）。
【００４７】
さらに、この状態において、上記マルチフィルム２０ｂを上記鎮圧ローラ２によって鎮圧された後の畝Ｕの上面Ｕ１及び今後傾斜面Ｕ２，Ｕ２、畝溝Ｕ３，Ｕ３が形成される面、即ち畝Ｕの上面Ｕ１の左右方向の地面に広げて張設し、その後、上記支持腕２４，２４を矢印Ａとは反対方向に回動復帰させ、張設した上記マルチフィルム２０ｂの両端部上に押え輪２６，２６及び覆土ディスク２７，２７を載置した状態とする。
【００４８】
その後、トラクター１６を矢印Ｃ方向に進行させて行く。すると、鎮圧ローラ２が畝Ｕの上面Ｕ１をその高さが２０ｃｍから１５ｃｍに圧縮しながら、左右一対の畝立て板１８，１８によって畝Ｕの傾斜面Ｕ２，Ｕ２及び畝溝Ｕ３，Ｕ３が形成されていくが、上記鎮圧ローラ２が畝Ｕの上面Ｕ１をマルチフィルム２０ｂと共に圧縮しながら進行して行き、さらに押え輪２６，２６がマルチフィルム２０ｂの左右の弛みを吸収しながら進行していくため、マルチフィルム２０ｂは畝Ｕの上面Ｕ１において、畝の上面Ｕ１と隙間なく、かつピンと張った張設状態で敷設されていく。
【００４９】
そして、上記マルチフィルム２０ｂの両端部には覆土ディスク２７によって土が被覆されていくことにより、両端部が押さえつけられ、これによって、マルチフィルム２０ｂを畝Ｕの上面Ｕ１との隙間のないピンと張った状態で敷設することができる。
【００５０】
以上のように本発明によれば、畝Ｕを造りながらのマルチフィルムの敷設作業において、鎮圧ローラ２によって畝Ｕを圧縮して土を締め固めながら、圧縮した畝の上面にマルチフィルム２０ｂを畝上面との間に隙間のない状態で張設することができ、これにより、風の強い日であっても問題なくマルチフィルムの張設作業を行うことができるし、造成された畝の土は締め固められているので、作物を植えたときに根付けの良い畝を造ることができる。
【００５１】
また、凹凸のない鎮圧ローラ２がマルチフィルム２０ｂ上面に圧着していくため、マルチフィルムの全面に亘って畝上面Ｕ１に密着することができ、マルチフィルムを畝の上面にピンと張った状態できれいに敷設することができる。
【００５２】
また、畝立て板１８にて凸状に造成された畝Ｕの上面にマルチフィルム２０ｂを張設しながら鎮圧ローラ２によって上記畝を締め固めることができ、締め固められた畝の上面にマルチフィルムをきれいに張設することができる。
【００５３】
また、前後方向伸縮腕によって、接続具にてトラクターに装着された鎮圧ローラの位置と既存のトラクターの押え輪の位置を最適位置に調整することができる。
【産業上の利用可能性】
【００５４】
本発明のマルチ作業用鎮圧ローラ装置は、既存のマルチ作業用トラクターの後部に接続することにより所期の目的を達成することができるため、既存のマルチ作業用トラクターに対するアタッチメントとして広く利用が可能である。
ができる。
【符号の説明】
【００５５】
１          マルチ作業用鎮圧ローラ
２          鎮圧ローラ
５          前後方向支持腕
６          接続具
１１        押え棒
１３        スプリング
１６        マルチ作業用トラクター
１８        畝立て板
２０        マルチフィルムロール
２０ｂ      マルチフィルム
２５        前後方向伸縮腕
２５ａ      基杆
２５ｂ      摺動杆
２６        押え輪
Ｕ          畝
【図１】
0005912448.tif 000002
【図２】
0005912448.tif 000003
【図３】
0005912448.tif 000004
【図４】
0005912448.tif 000005
【図５】
0005912448.tif 000006
【図６】
0005912448.tif 000007
【図７】
0005912448.tif 000008
【図８】
0005912448.tif 000009
【図９】
0005912448.tif 000010